(57)【要約】【課題】ケーブルの切替作業において、停電時間を短縮することができる端子台を提供する。【解決手段】実施形態に係る端子台は、第１回路に電気的に接続することができる第１導電体と、第２回路に電気的に接続することができる第２導電体と、を含む端子台ベースと、第１配線に電気的に接続することができる単一の第１端子を含む第１端子台ブロックと、第２配線に電気的に接続することができる単一の第２端子を含む第２端子台ブロックと、を備える。前記第１端子台ブロックおよび前記第２端子台ブロックは、前記端子台ベースにそれぞれ着脱自在である。【選択図】図１
2018006070.tif 000002
【特許請求の範囲】
【請求項１】
第１回路に電気的に接続することができる第１導電体と、第２回路に電気的に接続することができる第２導電体と、を含む端子台ベースと、
第１配線に電気的に接続することができる単一の第１端子を含む第１端子台ブロックと、
第２配線に電気的に接続することができる単一の第２端子を含む第２端子台ブロックと、
を備え、
前記第１端子台ブロックおよび前記第２端子台ブロックは、前記端子台ベースにそれぞれ着脱自在であって、
前記第１端子台ブロックを前記端子台ベースに取り付けた場合に、前記第１端子が前記第１導電体に接続することによって前記第１配線を前記第１回路に電気的に接続し、
前記第２端子台ブロックを前記ベースに取り付けた場合に、前記第２端子が前記第２導電体に接続することによって前記第２配線を前記第２回路に電気的に接続する端子台。
【請求項２】
前記端子台ベースは、
前記第１端子台ブロックを着脱する面に第１凸部と、
前記第２端子台ブロックを着脱する面に第２凸部と、を有し、
前記第１端子台ブロックは、
前記端子台ベースに着脱される面に第１凹部を有し、
前記第２端子台ブロックは、
前記端子台ベースに着脱される面に第２凹部を有し、
前記第１凸部が前記第１凹部と嵌合することによって、前記端子台ベースと前記第１端子台ブロックとを接続し、
前記第２凸部が前記第２凹部と嵌合することによって、前記端子台ベースと前記第２端子台ブロックとを接続し、
前記第１凸部は、前記第２凸部とは異なる形状を有する請求項１記載の端子台。
【請求項３】
前記端子台ベースは、
前記第１端子台ブロックを着脱する面に第３凹部と、
前記第２端子台ブロックを着脱する面に第４凹部と、を有し、
前記第１端子台ブロックは、
前記端子台ベースに着脱される面に第３凸部を有し、
前記第２端子台ブロックは、
前記端子台ベースに着脱される面に第４凸部を有し、
前記第３凹部が前記第３凸部と嵌合することによって、前記端子台ベースと前記第１端子台ブロックとを接続し、
前記第４凹部が前記第４凸部と嵌合することによって、前記端子台ベースと前記第２端子台ブロックとを接続し、
前記第３凸部は、前記第４凸部とは異なる形状を有する請求項１記載の端子台。
【請求項４】
前記第１端子台ブロックおよび前記第２端子台ブロックは、前記端子台ベースに着脱される面とは異なる面をそれぞれ有し、前記第１端子台ブロックおよび前記第２端子台ブロックの各異なる面は、それぞれ異なる模様を有する請求項１〜３のいずれか１つに記載の端子台。
【請求項５】
前記端子台ベースの端部に設けられた増設端子台ベースと、
前記増設端子台ベースに着脱自在に接続された第３端子台ブロックと、
をさらに備えた請求項１〜４のいずれか１つに記載の端子台。
【請求項６】
前記第１端子を覆う絶縁性の第１カバー部材と、
前記第２端子を覆う絶縁性の第２カバー部材と、
をさらに備えた請求項１〜５のいずれか１つに記載の端子台。
【発明の詳細な説明】
【技術分野】
【０００１】
本発明の実施形態は、端子台に関する。
【背景技術】
【０００２】
従来、プラントにおける既設電気品の更新工事等では、ケーブル切替作業は、たとえば次のような手順で行われている。最初に、（１）端子台から既設ケーブルの切離し作業を行い、（２）その既設ケーブルを引抜く。そして、（３）新設ケーブルを入線した上で、（４）ケーブルの端末処理を行う。その後（５）端末処理済みのケーブルを端子台に接続する。
【０００３】
端子台に取り付けられている既設ケーブルには電源ケーブルが含まれており、端子台ごとに既設ケーブルの切離し作業を行うと、既設電気品をケーブル切替作業中にわたって停電させる必要がある。そのため、停電時間が長くなる。
【先行技術文献】
【特許文献】
【０００４】
【特許文献１】特開２００６−３４４３９３号公報
【発明の概要】
【発明が解決しようとする課題】
【０００５】
実施形態は、ケーブルの切替作業において、停電時間を短縮することができる端子台を提供する。
【課題を解決するための手段】
【０００６】
実施形態に係る端子台は、第１回路に電気的に接続することができる第１導電体と、第２回路に電気的に接続することができる第２導電体と、を含む端子台ベースと、第１配線に電気的に接続することができる単一の第１端子を含む第１端子台ブロックと、第２配線に電気的に接続することができる単一の第２端子を含む第２端子台ブロックと、を備える。前記第１端子台ブロックおよび前記第２端子台ブロックは、前記端子台ベースにそれぞれ着脱自在であって、前記第１端子台ブロックを前記端子台ベースに取り付けた場合に、前記第１端子が前記第１導電体に接続することによって前記第１配線を前記第１回路に電気的に接続し、前記第２端子台ブロックを前記ベースに取り付けた場合に、前記第２端子が前記第２導電体に接続することによって前記第２配線を前記第２回路に電気的に接続する。
【発明の効果】
【０００７】
本実施形態では、単一の端子を有する端子台ブロックごとに端子台ベースに着脱自在に接続し、取り外すことができる。そのため、一方の端子台ブロックを取り外したときに、他方の端子台ブロックに電源ケーブルが接続されていても、一方の端子台ブロックの切替作業を行い、その前後で他方の端子台ブロックの切替作業を行うことができるので、停電時間を短くすることができる。
【図面の簡単な説明】
【０００８】
【図１】第１の実施形態に係る端子台を例示する斜視図である。
【図２】第１の実施形態の端子台の一部分解組立図である。
【図３】図３（ａ）は、端子台の一部の斜視図である。図３（ｂ）は、図３（ａ）の面Ａにおける断面図である。図３（ｃ）は、端子台の一部の底面図である。
【図４】第１の実施形態の端子台の一部の平面図である。
【図５】図５（ａ）および図５（ｂ）は、第１の実施形態の端子台の使用方法を例示する斜視図である。
【図６】第２の実施形態に係る端子台を例示する一部分解組立図である。
【図７】第２の実施形態の変形例に係る端子台を例示する一部分解組立図である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１０】
（第１の実施形態）
図１は、本実施形態に係る端子台を例示する斜視図である。
図２は、本実施形態の端子台の一部分解組立図である。
図３は、図３（ａ）は、端子台の一部の斜視図である。図３（ｂ）は、図３（ａ）の面Ａにおける断面図である。図３（ｃ）は、端子台の一部の底面図である。
図４は、本実施形態の端子台の一部の平面図である。
図１および図２に示すように、本実施形態の端子台１０は、端子台ベース１１と、端子台ブロック２０と、を備える。端子台ベース１１には、複数の端子台ブロック２０が接続されている。この例では、端子台ブロック２０は、端子台ベース１１上に、Ｘ軸方向に１２個、Ｙ軸方向に２個並べられている。Ｘ軸方向の端子台ブロック２０の数は、任意に設定することができる。Ｙ軸方向の端子台ブロック２０の数は、１個または２個である。
【００１１】
それぞれの端子台ブロック２０は、端子台ベース１１に着脱自在に取り付けられている。後述するように、端子台ブロック２０の底面には、凹部が設けられ、端子台ベース１１の表面には、凸部１３が設けられている。これらの凹部および凸部１３が嵌合することによって端子台ブロック２０は、端子台ベース１１に固定される。
【００１２】
端子台ベース１１上に配列した複数の端子台ブロック２０のうちＸ軸方向の両端の端子台ブロック２０の側面には、ベース壁部１４が設けられている。ベース壁部１４は、端子台ベース１１の端部に接続されている。端子台ベース１１のＸ軸に沿った両端には、係合凸部１１ａが設けられている。ベース壁部１４の端子台ベース１１に取り付ける端部には、係合凹部１４ａが設けられている。係合凸部１１ａおよび係合凹部１４ａを互いに係合させることによって、ベース壁部１４は、端子台ベース１１に固定される。ベース壁部１４は、端子台ブロック２０が脱落しないように支持する。ベース壁部１４は、樹脂等の絶縁性の材料によって形成されている。
【００１３】
Ｘ軸方向の両側のベース壁部１４を介して、Ｘ軸方向に並べられた端子台ブロック２０にわたって、これらを挟む脱落防止ロック１８が設けられている。脱落防止ロック１８は、Ｘ軸方向に並べられた端子台ブロック２０が脱落しないように設けられている。脱落防止ロック１８は、樹脂等の絶縁性を有する材料によって形成されている。脱落防止ロック１８は、低弾性を有する。脱落防止ロック１８は、樹脂の低弾性によって、コの字に成形された内側に向かって付勢されている。端子台ブロック２０は、Ｘ軸方向に付勢された脱落防止ロック１８によって支持される。
【００１４】
図３（ａ）に示すように、端子台ブロック２０は、ブロック本体２１と、ネジ２２と、カバー２３と、絶縁壁部２４と、を含む。
【００１５】
ブロック本体２１の側面には、模様面２８が設けられている。模様面２８は、Ｚ軸に平行するすべての側面に設けられていてもよく、１つの側面に設けられていてもよい。１つの側面に設けられる場合には、端子台ブロック２０が端子台ベース１１に取り付けられたときに、外部から視認できる側面が選定される。
【００１６】
模様面２８には、その端子台ブロック２０ごとに固有の模様が施されている。模様面２８に施された模様は、端子台ブロック２０同士を視覚によって識別することができればよく、模様には、単なる色彩や数字、英字等の文字を含むものとする。たとえば、ある端子台ブロック２０では、単色の赤色に着色され、他の端子台ブロック２０では、単色の青色で着色されている等も模様によって識別されるものとする。模様面２８の模様は、ブロック本体２１の側面の一部または全部にシールで貼付したり、塗装したり等することによって形成される。模様面２８の模様は、平面状の模様に限らず、ブロック本体２１の側面に設けられた凹凸によって形成されてもよい。
【００１７】
図３（ｂ）に示すように、ブロック本体２１は、内部にＺ軸に沿う方向に設けられたメネジ部２５を有する。ネジ２２は、オネジであり、メネジ部２５にねじ込むことができる。ネジ２２およびメネジ部２５は、導電性の材料で形成されている。メネジ部２５は、ブロック本体２１の表面から底面に向かって設けられている。
【００１８】
図３（ｃ）に示すように、ブロック本体２１の底面には、メネジ部２５の底部に接続された導電部２７が設けられている。導電部２７には、凹部２６が形成されている。凹部２６は、端子台ベース１１に形成された凸部１３に嵌合して、端子台ブロック２０を端子台ベース１１に固定する。
【００１９】
端子台ブロック２０には、ネジ２２をねじ込んだときのネジ２２の頭部のまわりを取り囲むように、絶縁壁部２４が設けられている。さらに端子台ブロック２０には、ネジ２２の頭部を覆うようにカバー２３が設けられている。端子台ブロック２０は、カバー２３および絶縁壁部２４を設けることによって、ケーブルをネジ２２に取り付けた端子台ブロック２０が端子台ベース１１に取り付けられた後に、隣接するケーブルの端末処理部分と接触して短絡事故等を生じることを防止する。
【００２０】
図４に示すように、端子台ベース１１の端子台ブロック２０が取り付けられる面には、接続導体１２が設けられている。接続導体１２は、端子台ブロック２０の底面に設けられた導電部２７に接触することによって電気的に導通する。同電位の接続導体１２に接続された端子台ブロック２０同士を接続することもできる。この例では、Ｙ軸方向に隣接する端子台ブロック２０同士が電気的に接続される。端子台ベース１１上の接続導体１２によって、端子台ブロック２０間の電気的接続を任意に設定することができる。
【００２１】
端子台ベース１１の基材は、絶縁性の材料によって形成されている。接続導体１２は、導電性の材料、たとえば銅や銅を含む合金によって形成されている。
【００２２】
たとえば、凸部１３は、端子台ベース１１の基材に形成される。基材に形成された凸部を覆うように、接続導体１２が形成される。なお、基材に形成された凸部の部分に接続導体を設けないようにしてもよい。
【００２３】
端子台ベース１１上に形成された凸部１３のＸＹ平面視形状は、対応する凹部２６のＸＹ平面視形状と同一に形成されている。凸部１３および凹部２６のＸＹ平面視形状は、端子台ブロック２０ごとに相違する。たとえば、図４のように端子台ベース１１の各端子台ブロック２０に対応する位置に設けられた凸部１３は、ＸＹ平面視で、円形、四角形、三角形、ひし形等に形成されている。それぞれの位置に接続される端子台ブロック２０の凹部２６のＸＹ平面視も、円形、四角形、三角形、ひし形等に成形されている。端子台ベース１１では、端子台ブロック２０に対応する位置を識別するために、１つの端子台ブロック２０に対応する凸部１３は、１つの凸形状に限らず、複数個の凸形状として設けてもよい。凸部１３が２つの三角形である場合には、端子台ブロック２０は、対応する位置に、２つの三角形の凹部２６を有する。
【００２４】
上述の例では、端子台ベース１１に凸部１３を形成し、端子台ブロック２０に形成された凹部２６と嵌合することによって互いに固定する。これに代えて、端子台ベース１１に凹部を形成し、これに嵌合する凸部を端子台ブロック２０に形成してもよい。
【００２５】
本実施形態の端子台の使用方法について説明する。
図５（ａ）および図５（ｂ）は、第１の実施形態の端子台の使用方法を例示する斜視図である。
本実施形態の端子台では、端子台ブロック２０は、端子台ベース１１に着脱自在に取り付けられる。端子台ブロック２０は、凹部２６の形状と端子台ベース１１の凸部の形状とが一致する位置に取り付けられる。
【００２６】
端子台１０にケーブルを取り付ける場合には、端子台ブロック２０には、端末処理されたケーブルがあらかじめネジ２２によってブロック本体２１に接続され固定される。ケーブルが取り付けられた端子台ブロック２０は、端子台ベース１１の対応する位置に取り付けられる。端子台ベース１１の対応する位置は、凹部２６および凸部１３の形状によって識別される。
【００２７】
図５（ａ）に示すように、各端子台ブロック２０にケーブル２をあらかじめ取り付けた状態で、テスタ４を用いて、ケーブルの導通試験およびケーブルの端子台ブロック２０との電気的な接続状態を試験することができる。
【００２８】
導通等が確認された後に、各端子台ブロック２０は、ケーブル２ごと端子台ベース１１に取り付けられる。
【００２９】
すべての端子台ブロック２０が端子台ベースに取り付けられた後に、脱落防止ロック１８が取り付けられる。
【００３０】
端子台１０からケーブル２を取り外す場合には、まず脱落防止ロック１８を取り外す。
【００３１】
図５（ｂ）に示すように、端子台ブロック２０を１つずつ取り外して、取り外すごとにあらかじめケーブルを取り付けた端子台ブロックを取り付けることができる。端子台ブロック２０を取り外す場合に、模様面２８の模様と、ケーブルの機能（たとえば電源ケーブルか、信号ケーブルか等）とを回路図面等の上で対応させておくことによって、対象のケーブルを目視によって判別することができる。
【００３２】
取り外した端子台ブロック２０からケーブル２を取り外し、端末処理済みの別のケーブルを取り付けて、再度端子台ベース１１に取り付けてもよい。
【００３３】
本実施形態の端子台の効果について説明する。
本実施形態の端子台１０では、端子台ブロック２０ごとに、端子台ベース１１に着脱自在に取り付け、取り外すことができる。そのため、活線状態でケーブルの接続や交換作業を行うことができ、電源を遮断する必要がなく、停電時間を短縮することができる。また、ケーブルのネジ止め作業をあらかじめ行った後に、端子台ベースに端子台ブロック２０ごと接続することができるので、狭い場所等でもケーブルの接続作業が容易になり、作業工数の削減が可能になる。
【００３４】
端子台ブロック２０および端子台ベース１１は、対応する位置に嵌合する凹部２６および凸部１３を有しているので、ケーブルが取り付けられた端子台ブロック２０を対応する位置に取り付ける際に、接続の間違いを生じにくくすることができる。
【００３５】
さらに、複数の端子台ブロック２０の模様面２８は、それぞれ異なっているので、接続したケーブルの接続先と模様面２８の模様を対応させることによって、ケーブルの接続間違いを低減することができる。
【００３６】
（第２の実施形態）
図６は、本実施形態に係る端子台を例示する一部分解組立図である。
本実施形態の端子台１１０では、ケーブルを取り付ける端子数を拡張することができる。
図６に示すように、端子台１１０は、端子台ベース１１１と、増設端子台ベース１１２と、を含む。増設端子台ベース１１２は、端子台ベース１１１に着脱自在に接続される。端子台ベース１１１は、Ｘ軸方向の両端の端部に係合凸部１１１ａを有している。増設端子台ベース１１２は、Ｘ軸方向の一方の端部に係合凹部１１２ａを有している。係合凹部１１２ａは、係合凸部１１１ａに係合され固定される。増設端子台ベース１１２は、端子台ベース１１１に係合して、端子台ベースの領域を拡張する。
【００３７】
増設端子台ベース１１２は、係合凹部１１２ａが形成されている端部とは反対側の端部に係合凸部１１２ｂを有する。係合凸部１１２ｂは、ベース壁部１４の係合凹部１４ａに係合される。係合凸部１１１ａ、係合凹部１１２ａおよび係合凸部１１２ｂは、端子台ベース１１１および増設端子台ベース１１２とそれぞれ同一の材料で形成されている。増設端子台ベース１１２は、端子台ベース１１１と同じ材料によって形成されていてもよいし、異なる材料で形成されていてもよい。
【００３８】
なお、互いの係合のための凸部および凹部は、上述の場合に限らない。たとえば、端子台ベースは係合凹部を有し、増設端子台ベースは係合凸部を有するようにしてもよい。
【００３９】
脱落防止ロック１１８は、Ｘ軸方向の長さが増設された端子台ブロック２０の個数に対応する長さとされている。脱落防止ロック１１８は、端子台ベース１１１および増設端子台ベース１１２に端子台ブロック２０を取り付けた後に、取り付けられる。
【００４０】
本実施形態の端子台１１０の使用方法について説明する。
端子台１１０にケーブルを取り付ける場合には、まず、第１の実施形態の場合と同様に、端子台ブロック２０にケーブルを取り付ける。ケーブルが取り付けられた端子台ブロック２０を端子台ベース１１１に取り付ける。
【００４１】
端子台ベース１１１の係合凸部１１１ａに増設端子台ベース１１２の係合凹部１１２ａを係合させることによって、増設端子台ベース１１２を端子台ベース１１１に固定する。
【００４２】
増設端子台ベース１１２にあらかじめケーブルを取り付けた端子台ブロック２０を取り付ける。
【００４３】
増設端子台ベース１１２に取り付けられた端子台ブロック２０の開放されている側面の側にベース壁部１４を取り付ける。
【００４４】
上述のそれぞれの工程は、順序を入れ替えてもよい。たとえば、端子台ベース１１１に増設端子台ベース１１２を取り付けた後に、すべての端子台ブロック２０を取り付けるようにしてもよい。また、端子台ベース１１１に増設端子台ベース１１２を取り付けた後に、増設端子台ベース１１２にベース壁部１４を取り付けて、その後、端子台ブロック２０を取り付けるようにしてもよい。
【００４５】
端子台１１０からケーブルを取り外す場合には、第１の実施形態の場合と同様に行うことができる。なお、ケーブルを取り外すために、端子台ブロック２０を取り外した後に、さらに増設端子台ベース１１２を端子台ベース１１１から取り外して、増設前の状態にしてから、再度端子台ブロック２０を取り付けることができる。
【００４６】
（変形例）
Ｙ軸方向の２列ごとに増設端子台ベースを設ける場合に限らず、Ｘ軸方向の１列について増設することもできる。
図７は、本変形例に係る端子台を例示する一部分解組立図である。
図７に示すように、本変形例の端子台２１０は、増設端子台ベース２１２をさらに備える。増設端子台ベース２１２は、Ｙ軸方向に隣接する領域ごとに分割されている。増設端子台ベース２１２は、部分２１３，２１４を有する。部分２１３は、係合凸部２１３ａと、係合凹部２１３ｂと、係合凸部２１３ｃとを有する。部分２１４は、係合凹部２１４ａと、係合凹部２１４ｂと、係合凸部２１４ｃとを有する。部分２１３，２１４は、係合凸部２１３ａおよび係合凹部２１４ａを係合させることによって互いに固定することができる。
【００４７】
増設端子台ベース２１２の部分２１３は、係合凹部２１３ｂおよび端子台ベース１１１の係合凸部１１１ａによって、互いに係合され固定される。部分２１４は、係合凹部２１４ｂおよび端子台ベースの係合凸部１１１ａによって互いに係合され固定される。
【００４８】
部分２１３の係合凸部２１３ｃおよび部分２１４の係合凸部２１４ｃは、ベース壁部１４の２つの係合凹部１４ａにそれぞれ係合され固定される。
【００４９】
増設端子台ベース２１２の部分２１３，２１４は、着脱自在に取り付けることができる。増設端子台ベース２１２は、端子台ベース１１１に着脱自在に取り付けることができる。
【００５０】
脱落防止ロック２１８によって、増設後の端子台ブロック２０は、脱落しないように支持される。
【００５１】
本変形例の端子台２１０は、分割することができる増設端子台ベース２１２を備えているので、分割された部分２１３または部分２１４にあらかじめケーブルが取り付けられた端子台ブロック２０を取り付けておき、端子台ブロック２０が取り付けられた部分２１３または部分２１４を順次端子台ベース１１１に取り付けることができる。１つ１つ端子台ブロック２０を取り付けるよりも、取り付け工数を削減することができる。
【００５２】
以上説明した実施形態によればケーブルを端末処理・ビス止め作業を停電前に実施できるようにし、停電時間を短縮する端子台を実現することができる。
【００５３】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００５４】
２  ケーブル、４  テスタ、１０  端子台、１１  端子台ベース、１２  接続導体、１３  導体凸部、１４  ベース壁部、１８  脱落防止ロック、２０  端子台ブロック、２１  ブロック本体、２２  ネジ、２３  カバー、２４  絶縁壁部、２５  メネジ、２６  凹部、２７  導電部、２８  模様面、１１０，２１０  端子台、１１１，２１１  端子台ベース、１１２，２１２  増設端子台ベース、２１３，２１４  部分
【図１】
2018006070.tif 000003
【図２】
2018006070.tif 000004
【図３】
2018006070.tif 000005
【図４】
2018006070.tif 000006
【図５】
2018006070.tif 000007
【図６】
2018006070.tif 000008
【図７】
2018006070.tif 000009